(57)【要約】【課題】  爪と爪受けとの係合を解除しようとする意思がない場合には、爪が爪受けから外れてしまうことを確実に防止できる係止装置の提供。【解決手段】  弾性変形可能な爪２０と、爪２０が変形し復元することにより係合する爪受け３０と、爪２０が変形する方向と直交する方向に弾性変形可能であり、爪２０が爪受け３０に係合するときに爪２０により押し退けられ、爪２０が爪受け３０に係合したときに爪２０の背面側に戻ってきて爪２０が背面側に変形することを防止する、弾性ストッパ４０とを、有する係止装置１０。【選択図】        図１
2005048891.tif 000002
【特許請求の範囲】
【請求項１】
弾性変形可能な爪と、
前記爪が変形し復元することにより前記爪が係合する爪受けと、
前記爪が変形する方向と直交する方向に弾性変形可能であり、前記爪が前記爪受けに係合するときに前記爪により押し退けられ、前記爪が前記爪受けに係合したときに前記爪の背面側に戻ってきて前記爪が背面側に変形することを防止する、弾性ストッパと、
を有する係止装置。
【請求項２】
前記弾性ストッパは、前記弾性ストッパの変形方向に膨出する膨出部を有しており、該膨出部の側端面で前記爪と当接可能とされている、請求項１記載の係止装置。
【請求項３】
前記弾性ストッパは、該弾性ストッパが設けられる部材にスリットを設けることで、前記弾性ストッパの変形方向に変形可能とされている、請求項１記載の係止装置。
【発明の詳細な説明】
【技術分野】
【０００１】
本発明は、爪が樹脂弾性を利用して爪受けに係合する係止装置に関する。
【背景技術】
【０００２】
従来の係止装置は、たとえば特開平９−２１００１９号公報に開示されている。
【０００３】
上記公報に開示された係止装置は、図７に示すように、爪１と爪受け２を有する。爪１は変形して復元することにより爪受け２に係合する。よって、爪１が爪受け２に係合しているときに、爪１が変形して復元する方向と同一方向で、爪１を爪受け２から外れる方向に変形させることにより、爪１と爪受け２との係合を解除できる。
【０００４】
しかし、爪１と爪受け２とが係合しているときに、爪１にＡ方向の力がかかったり爪受け２にＢ方向の力がかかったりすると、爪１と爪受け２との係合を解除しようとする意思がないにもかかわらず、爪１が爪受け２から外れる方向に変形し爪１が爪受け２から外れるおそれがある。
【０００５】
爪１が爪受け２から外れることを防止するために、図８に示すように、爪１の係止面１ａと爪受け２の係止面２ａとの角度α（アルファ）を鋭角にすることが考えられるが、爪１にＡ方向の大きな力がかかったり爪受け２にＢ方向に大きな力がかかったりすると、爪１が爪受け２から外れる方向に変形し爪１が爪受け２から外れるおそれがある。
【０００６】
なお、特開平９−２１００１９号公報に開示された係止装置には、図７に示すように、保護壁３が設けられているが、保護壁３は、爪１が過度に変形することを防止するために設けられており、爪１と爪受け２との係合外れを防止するためには設けられてはいない。そのため、保護壁３が設けられていても、爪１にＡ方向の力がかかったり爪受け２にＢ方向の力がかかったりすると爪１が爪受け２から外れてしまう。
【特許文献１】特開平９−２１００１９号公報
【発明の開示】
【発明が解決しようとする課題】
【０００７】
本発明が解決しようとする問題点は、爪と爪受けとの係合を解除しようとする意思がないにもかかわらず、爪が爪受けから外れてしまうことである。
【０００８】
本発明の目的は、爪と爪受けとの係合を解除しようとする意思がない場合には、爪が爪受けから外れてしまうことを確実に防止できる係止装置を提供することにある。
【課題を解決するための手段】
【０００９】
上記目的を達成する本発明はつぎの通りである。
（１）  弾性変形可能な爪と、
前記爪が変形し復元することにより係合する爪受けと、
前記爪が変形する方向と直交する方向に弾性変形可能であり、前記爪が前記爪受けに係合するときに前記爪により押し退けられ、前記爪が前記爪受けに係合したときに前記爪の背面側に戻ってきて前記爪が背面側に変形することを防止する、弾性ストッパと、
を有する係止装置。
（２）  前記弾性ストッパは、前記弾性ストッパの変形方向に膨出する膨出部を有しており、該膨出部の側端面で前記爪と当接可能とされている、（１）記載の係止装置。
（３）  前記弾性ストッパは、該弾性ストッパが設けられる部材にスリットを設けることで、前記弾性ストッパの変径方向に変形可能とされている、（１）記載の係止装置。
【発明の効果】
【００１０】
上記（１）〜（３）の係止装置では、爪が爪受けに係合するときに爪により押し退けられ、爪が爪受けに係合したときに爪の背面側に戻ってきて爪が背面側に変形することを防止する弾性ストッパが設けられているので、爪や爪受けまたはこれらが設けられる部材に力がかかって爪が爪受けから外れそうになっても、爪が弾性ストッパに当たり爪が爪受けから外れることはない。そのため、爪と爪受けとの係合を解除する意思がない場合に、爪が爪受けから外れてしまうことを確実に防止できる。
【００１１】
上記（２）の係止装置では、弾性ストッパが膨出部を有しており、膨出部の側端面で爪と当接可能とされているので、弾性ストッパが正規の位置から弾性ストッパの変形方向に若干ずれた場合でも、弾性ストッパは確実に爪と当接できる。
【００１２】
上記（３）の係止装置では、新たに別部品を設けることなく弾性ストッパを設けることができる。
【実施例】
【００１３】
本発明実施例の係止装置を、図１〜図６を参照して、説明する。
【００１４】
本発明実施例の係止装置１０は、図１に示すように、弾性変形可能な爪２０と、爪２０が変形し復元することにより爪２０が係合する爪受け３０と、爪２０の変形方向と直交する方向に弾性変形可能な弾性ストッパ４０とを、有する。以下、本発明実施例および図示例では、爪２０の変形する方向を左右方向とし、弾性ストッパ４０が変形する方向を前後方向とし、左右方向および前後方向と直交する方向を上下方向とする。
【００１５】
爪２０は、樹脂製である。爪２０は、爪２０が設けられる第１の部材（たとえば、ハウジング）５０から、上方向に延びている。爪２０は、第１の部材５０に一体に形成されていてもよく、第１の部材５０と別体に形成されて第１の部材５０に固定して取り付けられていてもよい。爪２０は、板状部２１と、突起部２２とを、有する。
【００１６】
板状部２１の左右方向板厚は、小である。板状部２１の左右方向板厚が小であるため、爪２０は、第１の部材５０に対して左右方向に容易に弾性変形（撓み）可能である。爪２０は、前後方向にほとんど撓まない。板状部２１の右側面の少なくとも上端部の面直交方向は、左右方向と平行である。
【００１７】
突起部２２は、板状部２１の上端部に設けられている。突起部２２は、板状部２１から、左方向に突出している。突起部２２は、板状部２１に一体に形成されていてもよく、板状部２１と別体に形成されて板状部２１に固定して取り付けられていてもよい。突起部２２の上面２２ａは、板状部２１から左方向かつ下方向に傾斜する傾斜面になっている。突起部２２の下面２２ｂは、上下方向と直交またはほぼ直交する面になっている。
【００１８】
板状部２１の上面の一部と突起部２２の上面の一部は、後方向かつ下方向に傾斜する傾斜面になっている（以下、この面を弾性ストッパ押し面２０ａという）。
【００１９】
爪受け３０は、樹脂製である。爪受け３０は、爪受け３０が設けられる第２の部材（たとえば、カバー）６０から、前方向に突出している。爪受け３０は、第２の部材６０に一体に形成されていてもよく、第２の部材６０と別体に形成されて第２の部材６０に固定して取り付けられていてもよい。
【００２０】
爪受け３０の上面３１は、上下方向と直交またはほぼ直交する面になっている。上面３１は、爪２０の突起部２２の下面２２ｂと係合可能である。
【００２１】
爪受け３０の下面３２は、右方向かつ上方向に傾斜する傾斜面になっている。爪受け３０の下面３２は、爪２０の突起部２２の上面２２ａと同方向に傾斜する傾斜面になっている。
【００２２】
弾性ストッパ４０は、樹脂製である。弾性ストッパ４０は、第２の部材６０に設けられている。弾性ストッパ４０は、第２の部材６０に一体に形成されていてもよく、第２の部材６０と別体に形成されて第２の部材６０に固定して取り付けられていてもよい。弾性ストッパ４０は、爪受け３０より、左右方向右側に設けられている。
【００２３】
弾性ストッパ４０は、前後方向に弾性変形（撓み）可能とされている。弾性ストッパ４０は、図２に示すように、第２の部材６０にスリット６１を設けることで、前後方向に弾性変形可能とされている。弾性ストッパ４０は、（ａ）図１〜図３に示すように、下方向に開放するコ字状のスリット６１ａを設けることで前後方向に弾性変形可能とされていてもよく、（ｂ）図４に示すように、上方向に開放するコ字状のスリット６１ｂを設けることで前後方向に弾性変形可能とされていてもよく、（ｃ）図５に示すように、上方向および下方向に開放する２本の平行なスリット６１ｃを設けることで前後方向に弾性変形可能とされていてもよく、（ｄ）図６に示すように、右方向に開放するコ字状のスリット６１ｄを設けることで前後方向に弾性変形可能とされていてもよい。以下、本発明実施例では、弾性ストッパ４０が、図１〜図３に示すように、第２の部材６０に下方向に開放するコ字状のスリット６１ａを設けることで前後方向に弾性変形可能とされている場合を、例にとって説明する。
【００２４】
弾性ストッパ４０は、図１に示すように、板状部４１と、膨出部４２とを、有する。
【００２５】
板状部４１の前後方向の板厚は、小である。板状部４１の前後方向の板厚が小であるため、弾性ストッパ４０は、第２の部材６０に対して前後方向に容易に弾性変形可能である。弾性ストッパ４０を前後方向に変形させるのに要する力は、爪２０を前後方向に変形させるのに要する力より、小である。弾性ストッパ４０は、左右方向にほとんど撓まない。弾性ストッパ４０を左右方向に変形させるのに要する力は、爪２０を左右方向に変形させるのに要する力より、大である。
【００２６】
膨出部４２は、板状部４１の上端部に設けられている。膨出部４２は、板状部４１から前方向に突出している部分である。膨出部４２は、板状部４１に一体に形成されていてもよく、板状部４１と別体に形成されて板状部４１に固定して取り付けられていてもよい。膨出部４２は、左右方向に延びている。膨出部４２は、弾性ストッパ４０の（板状部４１の）左右方向全体に設けられている。
【００２７】
膨出部４２の下面４２ａは、後方向かつ下方向に傾斜する傾斜面になっている。膨出部４２の下面４２ａは、爪２０の弾性ストッパ押し面２０ａと同方向に傾斜する傾斜面になっている。
【００２８】
膨出部４２の左方向側の端面（側端面）４２ｂは、爪２０が爪受け３０に係合しているとき、爪２０よりも左右方向右側（爪２０の背面側）に位置する。図２に示すように、爪２０が爪受け３０に係合しているときの、爪２０と爪受け３０の左右方向の重なり合い量（ラップ量）をＳ１とし、爪２０と弾性ストッパ４０との間の左右方向距離をＳ２とし、弾性ストッパ４０の右方向側の端面４２ｃと第２の部材６０との間のスリット６１ａの左右方向距離をＳ３とすると、Ｓ１＞（Ｓ２＋Ｓ３）を満たす。
【００２９】
次に、本発明実施例の作動を説明する。
【００３０】
まず、爪２０を爪受け３０に係合させるときの作動を説明する。
【００３１】
爪２０を爪受け３０に対して上方向に移動させると、爪２０の突起部２２の上面２２ａが爪受け３０の下面３２に当たる。突起部２２が爪受け３０に当たった後、さらに爪２０を上方向に移動させると、突起部２２の上面２２ａと爪受け３０の下面３２とが傾斜面であるため、爪２０が爪受け３０により押され、爪２０が右方向に変形する。さらに爪２０を上方向に移動させると、爪２０が右方向に変形しながら弾性ストッパ押し面２０ａが弾性ストッパ４０の膨出部４２の下面４２ａに当たる。さらに爪２０を上方向に移動させると、弾性ストッパ押し面２０ａと膨出部４２の下面４２ａとが傾斜面であるため、弾性ストッパ４０が爪２０により押され、弾性ストッパ４０が後方向に変形する（弾性ストッパ４０が爪２０により押し退けられる）。
【００３２】
さらに爪２０を上方向に移動させて突起部２２が爪受け３０を乗り越えたとき、爪２０は、樹脂弾性により左方向に復元する。爪２０が左方向に復元することにより、爪２０が爪受け３０に係合する。また、爪２０が左方向に復元することにより、爪２０の弾性ストッパ押し面２０ａと弾性ストッパ４０の下面４２ａとの当たりが外れ、弾性ストッパ４０が樹脂弾性により前方向に復元する。このとき、弾性ストッパ４０の膨出部４２の左方向側の端面４２ｂは、爪２０の前後方向位置と前後方向に重なり合う位置で、爪２０よりも左右方向右側に位置する。爪２０が左方向に復元したとき、爪２０は、左右方向に爪受け３０と弾性ストッパ４０とで挟まれる。
【００３３】
つぎに、爪２０が爪受け３０に係合しているときに、爪２０または第１の部材５０に下方向の力がかかったり、爪受け３０または第２の部材６０に上方向の力がかかったときを、説明する。
【００３４】
このとき、爪２０が右方向に変形する（爪２０が爪受け３０から外れる方向に変形する）。しかし、爪２０の右側には弾性ストッパ４０の膨出部４２が位置するため、爪２０が爪受け３０から外れる方向に変形しても、爪２０が爪受け３０から外れる前に爪２０の左右方向右側面（背面）が膨出部４２の左方向側の端面４２ｂに当たる。そのため、爪２０が爪受け３０から外れることを防止できる。
【００３５】
また、爪２０または第１の部材５０に下方向の大きな力がかかったり、爪受け３０または第２の部材６０に上方向の大きな力がかかったりすることで、弾性ストッパ４０が爪２０により右方向に押され弾性ストッパ４０が右方向に変形しても（弾性ストッパ４０が右方向に変形するほどの大きな力がかかっても）、弾性ストッパ４０は、右方向側の端面４２ｃが第２の部材６０に当たるためＳ３内でしか変形しない。Ｓ１＞Ｓ２＋Ｓ３であるため、弾性ストッパ４０が右方向に変形するほどの大きな力がかかっても、爪２０が爪受け３０から外れることを防止できる。
【００３６】
つぎに、爪受け３０に係合している爪２０を爪受け３０から外す場合を説明する。
【００３７】
弾性ストッパ４０を後方向に弾性変形させながら、爪２０を爪受け３０との係合が外れるまで右方向に弾性変形させる。その状態で、爪２０を爪受け３０に対して下方向に移動させることで、爪２０と爪受け３０との係合を解除できる。
【００３８】
本発明実施例の作用、効果を説明する。
【００３９】
爪２０が爪受け３０に係合するときに爪２０により押し退けられ、爪２０が爪受け３０に係合したときに爪２０の左右方向右側（背面側）に戻ってきて爪２０が右方向（背面側）に変形することを防止する弾性ストッパ４０が設けられているので、爪２０や爪受け３０に上下方向の力がかかって爪２０が爪受け３０から外れそうになっても、爪２０が弾性ストッパ４０に当たり爪２０が爪受け３０から外れることはない。そのため、爪２０と爪受け３０との係合を解除する意思がない場合に、爪２０が爪受け３０から外れてしまうことを防止できる。
【００４０】
また、弾性ストッパ４０が右方向に変形するほどの大きな力がかかった場合でも、弾性ストッパ４０の右方向側の端面４２ｃが第２の部材６０に当たり弾性ストッパ４０がそれ以上右方向に変形することはないため、爪２０が爪受け３０から外れてしまうことを防止できる。
【００４１】
また、弾性ストッパ４０は、弾性ストッパ４０の左右方向の全体に前方向に膨出する膨出部４２を有するので、弾性ストッパ４０が正規の位置から若干前後方向にずれた場合でも、膨出部４２の左方向側の端面４２ｂは確実に爪２０と当接でき、膨出部４２の右方向側の端面４２ｃは確実に第２の部材６０に当接できる。
【００４２】
また、弾性ストッパ４０は、第２の部材６０にスリット６１を設けることで前後方向に弾性変形可能とされているので、弾性ストッパ４０が部材６０に一体に形成されている場合には、新たに部品を増やすことなく弾性ストッパ４０を設けることができる。
【００４３】
また、爪２０を爪受け３０に係合させるときには、爪２０を上に移動させるだけで弾性ストッパ４０を後方向に押し退けながら爪２０を爪受け３０に係合させることができるので、弾性ストッパ４０を設けても、爪２０と爪受け３０との係合は容易である。また、爪２０を爪受け３０から外すときには、弾性ストッパ４０を後方向に弾性変形させながら爪２０を右方向に弾性変形させるため、２アクション要し、簡単に係合解除することはない。
【図面の簡単な説明】
【００４４】
【図１】本発明実施例の係止装置とその近傍の、爪が爪受けに係合していないときの斜視図である。
【図２】本発明実施例の係止装置とその近傍の、爪が爪受けに係合しているときの斜視図である。
【図３】本発明実施例の弾性ストッパが下方向に開放するコ字状のスリットを設けることで弾性変形可能とされている場合を示す、弾性ストッパとその近傍を示す正面図である。
【図４】本発明実施例の弾性ストッパが上方向に開放するコ字状のスリットを設けることで弾性変形可能とされている場合を示す、弾性ストッパとその近傍を示す正面図である。
【図５】本発明実施例の弾性ストッパが上下両方向に開放する２本の平行なスリットを設けることで弾性変形可能とされている場合を示す、弾性ストッパとその近傍を示す正面図である。
【図６】本発明実施例の弾性ストッパが右方向に開放するコ字状のスリットを設けることで弾性変形可能とされている場合を示す、弾性ストッパとその近傍を示す正面図である。
【図７】従来の係止装置とその近傍を示す断面図である。
【図８】従来の係止装置とその近傍の、爪の係止面と爪受けの係止面との角度を鋭角にした場合の断面図である。
【符号の説明】
【００４５】
１０  係止装置
２０  爪
２１  爪の板状部
２２  突起部
３０  爪受け
４０  弾性ストッパ
４１  弾性ストッパの板状部
４２  膨出部
５０  第１の部材
６０  第２の部材
６１  ６１ａ、６１ｂ、６１ｃ、６１ｄ  スリット
【図１】
2005048891.tif 000003
【図２】
2005048891.tif 000004
【図３】
2005048891.tif 000005
【図４】
2005048891.tif 000006
【図５】
2005048891.tif 000007
【図６】
2005048891.tif 000008
【図７】
2005048891.tif 000009
【図８】
2005048891.tif 000010